(57)【特許請求の範囲】
【請求項１】
投入されたコインの種別を識別するコイン識別部と、該コイン識別部で識別されたコインを行き先毎に振り分ける複数のコイン振り分け部と、コイン通路中に配設される振り分け機能を備えた第１コイン保留部と第２コイン保留部とを順に備え、保留されたコインを返却通路、コインチューブ或いは金庫に導くコイン処理装置において、前記第１コイン保留部及び第２コイン保留部が配設されたコイン通路の上流域に、該第１コイン保留部と所定の間隔をおいて第３コイン保留部を有することを特徴とするコイン処理装置。
【請求項２】
前記第３コイン保留部は、該第３コイン保留部に保留されたコインが前記コイン通路から逸脱しないように支持するコイン逸脱防止部材と、所定振り分け部とからなり、前記所定振り分け部は、その回動軸からコイン通路の上流に向かって延在した回動フラッパによって形成されるとともに該所定振り分け部を駆動する駆動手段を具備し、前記所定振り分け部を前記コイン通路を遮断するように駆動させ、前記回動フラッパと前記コイン逸脱防止部材でコインを挟持することで一時保留を行うことを特徴とする請求項１記載のコイン処理装置。
【請求項３】
前記第３コイン保留部は、所定振り分け部に一体形成されたガイド部材を有し、該ガイド部材はコイン投入時に投入されたコインを所定位置まで案内する機能と、コインを一時保留する際に該コインを支持する機能とを兼用することを特徴とする請求項１記載のコイン処理装置。
【請求項４】
前記第３コイン貯留部は、前記第１コイン保留部のコイン保留が解除されたことを条件に一時保留を行うことを特徴とする請求項２記載のコイン処理装置。
【発明の詳細な説明】
【技術分野】
【０００１】
本発明は、自動販売機等に内蔵され、投入されたコインを一時保留する構造を備えたコイン処理装置に関するものである。
【背景技術】
【０００２】
従来、自動販売機に内蔵され、コイン一時保留機能を備えたコイン処理装置として特許文献１及び特許文献２に開示されたものが知られている。
【０００３】
このようなコイン処理装置では、１００円コインを一時保留するための第１保留部及び第２保留部が配設され、第１保留部は、投入されたコインの枚数が第１保留部での保留許容枚数を超えたときは、保留コインを第２保留部側に振り分けるよう設定するとともに、一時保留状態で商品購入指令があり、かつ、第１コインチューブが収納規制レベルに達していないときに、保留コインを第１コインチューブに振り分ける一方、第１コインチューブが収納規制レベルに達しているとき又はコイン返却指令があったときは、保留コインを第２保留部側に振り分けるよう設定し、前記第２保留部は第１保留部から導かれたコインを一時保留するとともに、コイン返却指令があったときは保留コインを返却通路に振り分ける一方、商品購入指令があったときは保留コインを第２コインチューブ又は金庫に振り分けるよう設定するよう構成されている。
【０００４】
このように、第１保留部及び第２保留部を有することで、１００円コインを一時保留し、返却指令があったときは、保留された１００円コインがそのまま返却され、偽造・変造コインによる犯罪両替行為を防止できるし、また、この保留コインをコインチューブ又は金庫に適宜収容できるようになっている。
【０００５】
また、特許文献２では、正貨と見做された硬貨を金種別に振分ける複数の金種振分けレバーが配設された格別の硬貨通路の下流端、即ち金種別に硬貨が最終的に振分案内される硬貨通路の下流端に硬貨保留レバーを配設するとともに、該硬貨保留レバーの上流域におけるコイン通路を略Ｓ字形状に蛇行形成させている。
【０００６】
このように、コイン通路を略Ｓ字状に蛇行形成させることで、コイン通路の通路長を長く設定し、その間に一時保留される保留硬貨の枚数を多く設定できるようになっている。
【先行技術文献】
【特許文献】
【０００７】
【特許文献１】特開２００２−９９９４９号公報
【特許文献２】特開２００２−６３６２８号公報
【発明の概要】
【発明が解決しようとする課題】
【０００８】
しかしながら、前者のコイン処理装置においては一時貯留できる枚数が少なく、大量のコインを投入した場合に受け入れられることなく返却されてしまい不便である。また、後者のコイン処理装置では、一時保留される保留硬貨枚数を多く設定できるようになっているが、コイン通路を大幅に変更しなければならず、構造が複雑でコストが割高になるという問題点を有している。
【０００９】
本発明は、上述した事情に鑑みてなされたもので、コイン通路を変更することなく多枚数の硬貨を一時貯留できるコイン処理装置を提供することを目的とする。
【課題を解決するための手段】
【００１０】
本発明は前記従来の課題に鑑み、請求項１の発明は、投入されたコインの種別を識別するコイン識別部と、該コイン識別部で識別されたコインを行き先毎に振り分ける複数のコイン振り分け部と、コイン通路中に配設される振り分け機能を備えた第１コイン保留部と第２コイン保留部とを順に備え、保留されたコインを返却通路、コインチューブ或いは金庫に導くコイン処理装置において、前記第１コイン保留部及び第２コイン保留部が配設されたコイン通路の上流域に、該第１コイン保留部と所定の間隔をおいて第３コイン保留部を有する構成となっている。
【００１１】
請求項１の発明によれば、例えば１００円コインが投入され第１コイン保留部と第２コイン保留部にコインが一時保留され、保留部が満杯の状態でも、第３保留部で１００円コインを保留することができるので更に１００円コインを受け入れることが可能になる。
【００１２】
請求項２の発明は、請求項１のコイン処理装置において、前記第３コイン保留部は、該第３コイン保留部に保留されたコインが前記コイン通路から逸脱しないように支持するコイン逸脱防止部材と、所定振り分け部とからなり、前記所定振り分け部は、その回動軸からコイン通路の上流に向かって延在した回動フラッパによって形成されるとともに該所定振り分け部を駆動する駆動手段を具備し、前記駆動手段を前記コイン通路を遮断するように駆動させ、前記回動フラッパと前記逸脱防止部材でコインを挟持することで一時保留を行う構成となっている。
【００１３】
請求項２の発明によれば、従来の構成を利用することで新たな一時保留部を設けることなく、且つより確実に追加コインの一時保留を実行することが可能になる。
【００１４】
請求項３の発明は、請求項１のコイン処理装置において、第３コイン保留部は、所定振り分け部に一体形成されたガイド部材を有し、該ガイド部材はコイン投入時に投入されたコインを所定位置まで案内する機能と、コインを一時保留する際に該コインを支持する機能とを兼用する構成となっている。
【００１５】
請求項３の発明によれば、新たなコインを一時保留する場合にコインを確実に一時保留位置に導くことができるとともに、新たなコインの一時保留を確実に行うことが可能になる。
【００１６】
請求項４の発明は、請求項２乃至３の何れか一項記載のコイン処理装置において、第３コイン貯留部は、第１コイン保留部のコイン保留が解除されたことを条件に一時保留を行う構成となっている。
【００１７】
ここで、上記一時保留のタイミングについて説明すれば、第１コイン保留部に保留されている１００円硬貨の保留が解除されて、１００円コインチューブが満杯でない場合には、該１００円コインチューブにコインを導く。この導かれたコインにより、コインチューブが満杯となった場合に、その上流に位置する追加コインが満杯になった１００円コインチューブに導かれてしまう可能性がある。そのために、第１コイン保留部の保留が解除されたと同時に第３コイン保留部に位置するコインを一時保留して、最新の収納状態に更新する。これにより、コインの誤振り分けを防止することができ、信頼性が向上する。
【発明の効果】
【００１８】
以上説明したように本発明によれば、従来のコイン保留部に加えて追加の保留メカニズムを搭載するので、多枚数のコインを効率よく一時保留することができる。また、追加の保留メカニズムは、既存の機能部品を流用することで構成される。これにより、大幅な設計変更を行うことなくコイン処理装置に搭載することができる。
【発明を実施するための形態】
【００１９】
図１乃至図９は本発明に係るコイン処理装置の一実施形態を示すもので、図１はコイン処理装置のコイン識別部及びコイン振り分け部を示す内部構造図、図２はコイン処理装置のコイン振り分け部及びコイン収納部の構造を示す斜視図、図３の(a)(b)は返却指令時における第２保留部の動作を示す断面図、図４の(a)(b)は第２チューブ収納時における第２保留部の動作を示す断面図、図５の(a)(b)は金庫収納時における第２保留部の動作を示す断面図、図６はコイン保留時の第３保留部の動作を示す断面図、図７はコイン処理装置の駆動制御回路を示すブロック図、図８は１００円コイン処理制御を示すフローチャート、図９は４枚コイン処理モードを示すフローチャートである。
【００２０】
まず、コイン処理装置の概略構成を図１乃至２を参照して説明する。このコイン処理装置は例えば自動販売機に搭載されており、投入口１ａから投入されたコイン（１０円コイン、５０円コイン、１００円コイン、５００円コイン）を識別するコイン識別部１０と、コイン識別部１０で識別されたコインを振り分けるコイン振り分け部２０と、コイン振り分け部２０で振り分けられたコインを一時保留するコイン保留部２１１〜２１５と、コイン振り分け部２０で振り分けられたコインを収納するコイン収納部３０とから構成されており、購入商品に対する金銭処理を行っている。
【００２１】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００２２】
コイン振り分け部２０は、コイン転動の上手側から下手側に向かって、第１〜第８の振り分け部２０１〜２０８を有している。また、コイン振り分け部２０の所定箇所にコイン保留部２１１〜２１５を有している。以下に各振り分け部２０１〜２０８及びコイン保留部２１１〜２１５の詳細を説明する。
【００２３】
ここで、第１振り分け部２０１は、回動式の回動フラッパ２０１ａを有し、この回動フラッパ２０１ａをソレノイドＳＣ１で回動する。ソレノイドＳＣ１が非励磁状態（ＯＦＦ）のときは（投入コインが偽貨と判定したとき）は、投入コインが回動フラッパ２０１ａの前面（図１の表面側）を通り、図示しない返却通路を通じて返却口に返却される。一方、励磁状態（ＯＮ）のときは（投入コインが正貨であると判定したときは）、投入コインを回動フラッパ２０１ａの裏側（図１の裏面側）に通し、第２振り分け部２０２に向かって落下する。このように、第１振り分け部２０１は投入コインの真偽に基づき振り分ける機能を有している。
【００２４】
第２振り分け部２０２は、第１振り分け部２０１で正貨を判定されたコインを１００円コインとそれ以外の１０円コイン、５０円コイン及び５００円コインに振り分けるものである。この第２振り分け部２０２は二股に分岐した前後のガイド２０２ａ，２０２ｂを有し、これをソレノイドＳＣ２でコイン通路から出没させている。このソレノイドＳＣ２が非励磁（ＯＦＦ）のときは、第２振り分け部２０２を前方に突出させ、１０円コイン、５０円コイン及び５００円コインを後方のガイド２０２ｂに転動させて第３振り分け部２０３に向かって案内する。一方、励磁状態（ＯＮ）のときは、第２振り分け部２０２を後方に向かって引き、これにより、１００円コインを前方のガイド２０２ａに落下させて第４振り分け部２０４に向かって案内している。なお、１０円コインのコインチューブＣＴ１０や５０円のコインチューブＣＴ５０が満杯の時も前述を同様の操作により第４振り出し部２０４に向かって１０円コイン及び５０円コインを案内する。
【００２５】
第３振り分け部２０３は、第２振り分け部２０２で振り分けられた１０円コイン及び５０円コインと５００円コインに振り分けるものである。この第３振り分け部２０３は回動軸２０３ａ及び回動フラッパ２０３ｂを有し、この回動フラッパ２０３ｂの中央寄りの側面ピン２０３ｃにソレノイドＳＣ３を連結し、回動フラッパ２０３ｂを回動する。また、回転軸２０３ａからコイン通路の下手側に向かって回動アーム２１１ａが延在されており、この回動アーム２１１ａの先端にはコイン通路に向かって突出した保留突起２１１ｂを有する。
【００２６】
ここで、ソレノイドＳＣ３が非励磁状態（ＯＦＦ）のときは（５００円コインを振り分けるときは）回動フラッパ２０３ｂがコイン通路から離隔しコイン通路を開放する一方、回動アーム２１１ａがコイン通路に向かって回転し保留突起２１１ｂの先端がコイン通路を遮断する。これに対して、ソレノイドＳＣ３が励磁状態（ＯＮ）のときは（１０円及び５０円コインを振り分けるとき）、回動フラッパ２０３ｂがコイン通路に向かって回転しコイン通路を閉鎖する一方、回動アーム２１１ａがコイン通路から離隔するよう回転し、保留突起２１１ｂによるコイン通路の遮断を解除する。
【００２７】
第４振り分け部２０４は第２振り分け部２０２で振り分けられた１００円コインを金庫通路又は後述する第６振り分け部２０６に振り分けるものである。この第４振り分け部２０４は回転軸２０４ｂから上手側に向かって延在した回動フラッパ２０４ａを有し、この回動フラッパ２０４ａをソレノイドＳＣ４で回動している。
【００２８】
ここで、ソレノイドＳＣ４が励磁状態（ＯＮ）のときは、回動フラッパ２０４ａが図示しない金庫通路（回動フラッパ２０４ａの裏側）を開放する位置に回動して１００円コインを金庫通路に導き、図示しない金庫に導入する。一方、非励磁状態（ＯＦＦ）のときは回動フラッパ２０４ａが金庫通路を閉鎖しており、１００円コインを回動フラッパ２０４ａの表面側に転動させ、第６振り分け部２０６に向かって落下させる。なお、１０円コインのコインチューブや５０円のコインチューブが満杯の時も前述を同様の操作により金庫通路に向かって１０円コイン及び５０円コインを案内する。
【００２９】
第５振り分け部２０５は、第３振り分け部２０３及び第３振り分け部２０３と一体形成された一時保留部２１１及び第３振り分け部２０３の下流に位置する一時保留部２１２を通って転動した５００円コインを、返却口（図示しない）に連通する返却通路Ｃとコイン収納部（金庫通路及び５００円用のコインチューブ）に振り分けるものである。この第５振り分け部２０５は回動式の回動フラッパ２０５ａを有し、この回動フラッパ２０５ａをソレノイドＳＣ５で回動する。ここで、ソレノイドＳＣ５が非励磁状態（ＯＦＦ）のときは、５００円コインを後述する第８振り分け部２０８に導く。一方、励磁状態（ＯＮ）のときは、回動フラッパ２０５ａが第８振り分け部２０８側への通路を閉鎖するよう回転し、５００円コインを返却通路Ｃを通じて返却口に導く。
【００３０】
第６振り分け部２０６は、第４振り分け部２０４で振り分けられた１００円コインを１００円用の第１のコインチューブと後述する第２の１００円コイン保留部２１４（以下  第２保留部２１４）に振り分けるもので、二股に分岐した前後のガイド２０６ａ，２０６ｂをソレノイドＳＣ６でコイン通路から出没させている。
【００３１】
第７振り分け部２０７は、第３振り分け部２０３で振り分けられた１０円・５０円を１０円用のコインチューブと５０円用のコインチューブに振り分けるものである。この第７振り分け部２０７は二股に分岐した前後のガイド２０７ａ，２０７ｂをソレノイドＳＣ６でコイン通路から出没させている。このソレノイドＳＣ６が非励磁（ＯＦＦ）のときは、１０円コインを後方のガイド２０７ｂに落下させてコインチューブに落下・に収納する。一方、励磁状態（ＯＮ）のときは、第６振り分け部２０６、第７振り分け部２０７、後述する第８振り分け部２０８と連結され、ソレノイド２０６により前後に移動する連結板２０９を後方に引き、これにより、５０円コインを前方のガイド２０７ａに落下させてコインチューブに落下・収納する。
【００３２】
第８振り分け部２０８は、５００円コインを図示しない金庫通路又はコインチューブに振り分けるもので、先端に向かって平行に延びる二股の案内隔壁を有する。ここで、ソレノイドＳＣ６が非励磁（ＯＦＦ）のときは、５００円コインをコインチューブに導く一方、励磁状態（ＯＮ）のときは、５００円コインを後方の金庫通路に導く。
【００３３】
１００円コインを一時保留する第１コイン保留部２１３（以下  第１保留部）は、第２振り分け部２０２により振り分けられた１００円コインを保留するもので、１００円コインを支持する保留ピン２１３ａで構成されている。この保留ピン２１３ａは、ソレノイドＳＣ５にて、コイン通路に出没するよう形成されている。
【００３４】
ここで、各ソレノイドＳＣ４，ＳＣ６が非励磁（ＯＦＦ）のときは、第１保留部２１３がコイン通路に突出し、１００円コインを第６振り分け部２０６に保留する。また、この１００円コインの保留状態で、ソレノイドＳＣ５が励磁（ＯＮ）となり、かつソレノイドＳＣ６が非励磁となっているときは、第６振り分け部２０６のガイド２０６ｂがコイン通路側に向かって突出するとともに保留ピン２１３ａがコイン通路から後退し、保留１００円コインが後方のガイド２０６ｂを転動して１００円用の第１のコインチューブに落下・収納される。更に、同じく１００円コインの保留状態で、ソレノイドＳＣ６が励磁し、かつ、ソレノイドＳＣ５が非励磁となっているときは、連結板２０９がソレノイドＳＣ６により後方に引かれ、保留１００円コインが前方のガイド２０６ａを転動して下方に位置する第２保留部２１４に向かって落下する。
【００３５】
このように第１保留部２１３は、第６振り分け部２０６及び保留ピン２１３ａの動作により投入された１００円コインを保留するように機能するとともに、この保留された１００円コインを、図示しない第１の１００円チューブＣＴ１００−１又は第２保留部２１４に振り分ける機能を有している。
【００３６】
この第２保留部２１４の構造を図３を参照して説明する。第２保留部２１４は第１保留部２１３の下流側に設置されたもので、第６振り分け部により振り分けられた１００円コインの保留を行うための上端及び下端がコイン通路内に交互に出没するよう、シーソの如く軸支された保留レバー２１４ａを有している。この保留レバー２１４ａはその上端側がソレノイドＳＣ７に連結アーム２１４ｂを介して連結しており、ソレノイドＳＣ７が非励磁（ＯＦＦ）のときは、図３の(a)に示すように保留レバー２１４ａの下端がコイン通路内に突出して１００円コインの落下を規制し、１００円コインをコイン通路内に保留する。一方、ソレノイドＳＣ７が励磁（ＯＮ）するときは、図３の(b)に示すように保留レバー２１４ａの下端がコイン通路から離脱して最下位の１００円コインの落下規制を解除する一方、上端がコイン通路に突出して、最下位から２番目の１００円コイン（１００円コインが複数枚投入されたとき）をコイン通路内に保留する。
【００３７】
また、この第２保留部２１４は振り分け部２１６を有し、この振り分け部２１６により、コイン通路内に保留された１００円コインを、返却通路、第２の１００円コインチューブＣＴ１００−２或いは、金庫に振り分ける。この振り分け部２１６は上下に上部フラッパ２１７と下部フラッパ２１８とを有し、各フラッパ２１７，２１８はそれぞれ下端を軸支するとともに、各ソレノイドＳＣ８，ＳＣ９に連結アーム２１７ａ，２１８ａを介して連結し、各ソレノイドＳＣ８，ＳＣ９の励磁・非励磁により各フラッパ２１７，２１８を回動する。
【００３８】
ここで、ソレノイドＳＣ８が励磁（ＯＮ）し、かつ、ソレノイドＳＣ９が非励磁（ＯＦＦ）となっているときは、図３に示すように、各フラッパ２１７，２１８が時計方向に回転しており、これにより、コイン通路が返却通路に連通した状態となる。また、各ソレノイドＳＣ８，ＳＣ９の両者が励磁（ＯＮ）しているときは、図４(a)に示すように、フラッパ２１７が反時計方向に回転する一方、フラッパ２１８が時計方向に回転しており、これにより、コイン通路が第２の１００円コインチューブＣＴ１００−２に連通した状態となっている。更に、ソレノイドＳＣ８が非励磁（ＯＦＦ）で、かつ、ソレノイドＳＣ９が励磁（ＯＮ）しているときは、図５に示すように、各フラッパ２１７，２１８が反時計方向に回転しており、これにより、コイン通路が金庫に連通した状態となる。
【００３９】
第３コイン保留部（以下  第３保留部）２１５の構造を図６を参照して説明する。１００円コインを一時保留する第３保留部２１５は、第１保留部２１３及び第２保留部２１４の上流側に配置されたもので、第４振り分け部２０４に一体形成され、１００円コインの案内を行うとともに、その屈曲部分で１００円コインの支持を行うガイド部２１５ａを有している。このガイド部２１５ａは第４振り分け部２０４を介してソレノイドＳＣ４に連結している。また、ガイド部２１５ａは、１００円コインを支持する際に、第３保留部２１５の上流に位置する第２振り分け部２０２にガイド部２１５ａで支持された１００円コインが当接しない位置に案内する役割を有している。これにより、第２振り分け部２０２に１００円コインが当接した場合にソレノイドが引ききらず、次コインが投入された時の振り分け不良等の不具合を未然に防止することができるとともに、確実にコインを一時保留することが可能になる。
【００４０】
更に、第３保留部２１５は、図７(a)(b)に示すような各振り分け部２０１〜２０８及び各コイン保留部２１１〜２１５を覆うフロントカバー２１５ｂを有している。フロントカバー２１５ｂは本発明における逸脱防止部材に該当する。尚、逸脱防止部材はコインの前面側への逸脱を防止する構成であれば他の構成であってもよい。ここで、ソレノイドＳＣ４が非励磁（ＯＦＦ）のときは、図６及び図７(a)に示すように、ガイド部２１５ａ又は第１保留部２１３に保留された１００円コインの上端とフロントカバー２１５ｂのうちの少なくとも２点で支持することで１００円コインの落下を防止している。上述のように２点で１００円コインを支持することで、単に下流にある１００円コインで１点支持する構成においてコイン処理装置への衝撃や投入された１００円コインに砂乃至水が付着しているなどのケースで投入された１００円コインが下流の１００円コインとうまく当接せずに、第６保留部２０６に２枚重なってしまうなどの問題を防止する格別な作用を有する。一方、ソレノイドＳＣ４が励磁（ＯＮ）のときは、図７(b)に示すように、回動フラッパ２０４ａがコイン通路を遮断し、１００円コインをフロントカバー２１５ｂとの間で挟み込むように支持する。この際、ガイド部２１５ａは回動フラッパ２０４ａとフロントカバー２１５ｂとの間で挟みこまれている１００円コインを支持するようになっている。その後、第１保留部２１３及び第６振り分け部２０６により保留された１００円コインの保留が解除され、上述したように１００円用の第１のコインチューブと第２保留部２１４とに振り分けられる。
【００４１】
本実施形態に係るコイン処理装置の機械的構造は、以上説明したとおりとなっているが、本実施形態に係るコイン処理装置の特徴とするところは、１００円コインの処理制御、即ち、投入された１００円コインが第１コイン保留部２１３と第２コイン保留部２１４、及び第３コイン保留部２１５で一時保留されること、更には、この保留１００円コインが第１コイン保留部２１３及び第２コイン保留部２１４、及び第３コイン保留部２１５により、第１の１００円コインチューブＣＴ１００−１、第２の１００円コインチューブＣＴ１００−２、返却通路又は金庫に適宜振り分けられることにある。
【００４２】
この本実施形態に係る特徴的構成を図８のブロック図及び図９乃至図１０のフローチャートを参照して説明する。
まず、コイン処理装置の１００コイン制御に係る駆動制御回路を図８を参照して説明する。コイン処理装置の制御手段としてマイクロコンピュータ（マイコン）４０を有し、このマイコン４０にタイマ４０ａ及びコインのカウンタ４０ｂ等のソフトが組み込まれている。ここで、タイマ４０ａには各ソレノイドＳＣ１，ＳＣ２，ＳＣ４，ＳＣ６、ＳＣ７、ＳＣ８、ＳＣ９がオンしたときの励磁時間が設定され、各ソレノイドＳＣ１，ＳＣ２，ＳＣ４，ＳＣ６，ＳＣ７，ＳＣ８，ＳＣ９がオンしたときは、その設定励磁時間に亘って励磁し、その後はオフする構成となっている。また、カウンタ４０ｂは１００円コインの投入枚数等を計数するようになっている。
【００４３】
また、マイコン４０には、コイン識別部１０の識別信号、商品を購入する際に押圧する商品選択ボタン４１からの商品購入信号、第１の１００円チューブＣＴ１００−１及び第２の１００円チューブＣＴ１００−２が収納規制レベルに達しているか否か、例えばコインが満杯となっているか否かを検出するオーバーフローセンサ４２，４３の検出信号、返却レバー４４からの返却信号が入力されている。また、これら検出信号、返却信号等に基づいてソレノイド駆動回路４５を介して各ソレノイドＳＣ１，ＳＣ２，ＳＣ４，ＳＣ６，ＳＣ７，ＳＣ８，ＳＣ９が、図１０のフローチャートに示すように駆動制御し、１００円コインの一時保留制御及び振り分け制御を行っている。
【００４４】
即ち、図９に示すように、１００円コインが投入されたとき、これが偽貨であると判定したときは、既存返却処理モードに移行する（Ｓ１，Ｓ２）。なお、この既存返却処理モードとは、ソレノイドＳＣ１を非励磁状態にして、第１振り分け部２０１の回動フラッパ２０１ａを待機状態に保持することであり、これにより、投入コインが回動フラッパ２０１ａの表側を通り、返却口に返却されることとなる。一方、１００円コインが正貨であるときは、この投入コイン数を計数する（Ｓ３）。この投入コインの計数により、投入１００円コインが５枚以上のときは、既存の返却処理モードに移行する（Ｓ４）。それ以外（投入コインが１枚、２枚、３枚、又は４枚）のときは、ソレノイドＳＣ１を所定時間励磁する（Ｓ５）。これにより、第１振り分け部２０１の回動フラッパ２０１ａが回動し、１００円コインが回動フラッパ２０１ａの裏側に導かれる。ソレノイドＳＣ１の励磁とほぼ同時にソレノイドＳＣ２が所定時間励磁される（Ｓ６）。これにより、１００円コインが第２振り分け部２０２のガイド２０２ａに落下し、第４振り分け部２０４に向かって案内される。ここで、ソレノイドＳＣ４が非励磁状態となっているため、回動フラッパ２０４ｂが金庫通路を閉鎖しており、これにより、１００円コインが回動フラッパ２０４ａの表面側に転動して、第１保留部２１３に導かれる。
【００４５】
ここで、１００円コインの投入枚数が１枚のときは、投入コインが第１保留部２１３で保留され、一方、投入枚数が２枚、３枚のときは、それぞれソレノイドＳＣ６を所定時間励磁して、第２保留部２１４に投入コインを順次導くよう制御される（Ｓ７〜Ｓ１０）。また、投入枚数が４枚のときは、投入コインが第３保留部２１５で保留される。即ち、投入コインが１枚のときは第１保留部２１３に１枚が保留される。投入コインが２枚のときは第１保留部２１３に１枚が保留され、第２保留部２１４に他の１枚が保留される。投入コインが３枚のときは第１保留部２１３に１枚が保留され、第２保留部２１４に他の２枚が保留される。投入コインが４枚のときは第１保留部２１３に１枚が保留され、第２保留部２１４に他の２枚が保留され、第３保留部２１５に他の１枚が保留される。
【００４６】
以上のように、１００円コインが１枚から３枚投入されたときは既存のコイン処理モードで処理され（Ｓ１２）、１００円コインが４枚投入されたときはコイン４枚処理モードで処理される（Ｓ１３）。
【００４７】
図１０を参照して、コイン４枚処理モードについて説明する。即ち、第１保留部２１３に１００円コインが１枚保留され、また、第２保留部２１４に１００円コインが２枚保留され、第３保留部２１５に１００円コインが１枚保留されている状態で、商品選択ボタン４１を通じて購入指令があるか否か（Ｓ１３−１）、返却レバー４４を通じて返却指令があったかを判定する（Ｓ１３−２）。ここで、返却レバー４４を通じて返却指令が入力されているときは、ソレノイドＳＣ８を励磁して返却通路側を開放し、更にソレノイドＳＣ７を所定時間励磁する（Ｓ１３−３，Ｓ１３−４）。これにより、第２保留部２１４の最下位の保留コインが返却通路に導かれる。しかる後、ソレノイドＳＣ６を励磁して第１保留部２１３に保留されているコインを第２保留部２１４に導く（Ｓ１３−５）。その後、再度ソレノイドＳＣ７を所定時間励磁する（Ｓ１３−６）。これにより、新たに第２保留部２１４の最下位となった保留コインが返却通路に導かれる。その後、再度ソレノイドＳＣ６を励磁して第３保留部２１５に保留されていたコインを第２保留部２１４に導く（Ｓ１３−７）。その後、ソレノイドＳＣ７を２回に亘って励磁することにより、第２保留部２１４のコインを返却通路へと導く（Ｓ１３−８、Ｓ１３−９）。
【００４８】
前記ステップＳ１３−１で商品選択ボタン４１を通じて購入指令があったときは、第１の１００円コインチューブ３０１が満杯か否かを判定する（Ｓ１３−１０）。ここで、第１の１００円コインチューブＣＴ１００−１が未だ満杯となっていないときは、ソレノイドＳＣ４を励磁する（Ｓ１３−１１）。これにより、第１保留部２１３に保留されている１００円コインが第１の１００円コインチューブＣＴ１００−１に収納される。その後、第１の１００円コインチューブＣＴ１００−１が満杯になったか否かを再度判定する（Ｓ１３−１２）。第１の１００円コインチューブＣＴ１００−１が満杯になっていないときは、再度ソレノイドＳＣ４を励磁する（Ｓ１３−１３）。これにより、第３保留部２１５に保留されている１００円コインが第１の１００円コインチューブＣＴ１００−１に収納される。
【００４９】
一方、前記ステップＳ１３−１２で、第１の１００円コインチューブＣＴ１００−１が満杯になっているときは、第２の１００円コインチューブＣＴ１００−２が満杯か否かが判断される（Ｓ１３−２９）。前記ステップＳ１３−１４で、第２の１００円コインチューブＣＴ１００−２が満杯となったときは、ソレノイドＳＣ９を励磁して金庫側を開放し（Ｓ１３−３０）、ソレノイドＳＣ７を所定時間励磁する（Ｓ１３−３１）。これにより、第２保留部２１４の最下位の１００円コインが金庫へ導かれる。続いて、ソレノイドＳＣ６を励磁する（Ｓ１３−３２）。これにより、第３保留部２１５に保留されている１００円コインが第２保留部２１４へ導かれ、第２保留部２１４に２枚の１００円コインがあらたに保留された状態となる。その後、ソレノイドＳＣ７を２回に亘って励磁することにより、第２保留部２１４のコインを金庫へと導く（Ｓ１３−３３、Ｓ１３−３４）。
【００５０】
他方、前記ステップＳ１３−１２で、第２の１００円コインチューブＣＴ１００−２が満杯となっていないときは、ソレノイドＳＣ８，ＳＣ９を励磁して第２の１００円コインチューブＣＴ１００−２側を開放し（Ｓ１３−３５）、ソレノイドＳＣ７を所定時間励磁する（Ｓ１３−３６）。これにより、第２保留部２１４の最下位の１００円コインが第２のコインチューブＣＴ１００−２に収納される。続いてソレノイドＳＣ６を励磁する（Ｓ１３−３７）。これにより、第３保留部２１５に保留されている１００円コインが第２保留部２１４に導かれ、第２保留部２１４にあらたに２枚の１００円コインが保留された状態となる。その後、ソレノイドＳＣ７を２回に亘って励磁することにより、第２保留部２１４のコインを第２のコインチューブＣＴ１００−２へと導く（Ｓ１３−３８、Ｓ１３−３９）。
【００５１】
前記ステップＳ１３−１２で第１の１００円コインチューブＣＴ１００−１が満杯となっていないときに、ソレノイドＳＣ４を励磁し、第３保留部２１５に保留されている１００円コインが第１の１００円コインチューブＣＴ１００−１に収納された後、第２の１００円コインチューブＣＴ１００−２が満杯か否かを判断する（Ｓ１３−４０）。前記ステップＳ１３−４０で第２の１００円コインチューブＣＴ１００−２が満杯となっているときは、ソレノイドＳＣ９を励磁して金庫側を開放し（Ｓ１３−４１）、その後、ソレノイドＳＣ７を２回に亘って励磁することにより、第２保留部２１４のコインを金庫へと導く（Ｓ１３−４２、Ｓ１３−４３）。また、前記ステップＳ１３−４０で第２の１００円コインチューブＣＴ１００−２が満杯となっていないときは、ソレノイドＳＣ８，ＳＣ９を励磁して第２の１００円コインチューブＣＴ１００−２側を開放し（Ｓ１３−４４）、その後、ソレノイドＳＣ７を２回に亘って励磁することにより、第２保留部２１４のコインを第２の１００円コインチューブＣＴ１００−２へと導く（Ｓ１３−４２、Ｓ１３−４３）。
【００５２】
前記ステップＳ１３−１０で第１の１００円コインチューブＣＴ１００−１が満杯のときは、第２の１００円コインチューブＣＴ１００−２が満杯か否かが判定される（Ｓ１３−１４）。前記ステップＳ１３−１４で、第２の１００円コインチューブＣＴ１００−２が満杯となったときは、ソレノイドＳＣ９を励磁して金庫側を開放し（Ｓ１３−１５）、ソレノイドＳＣ７を所定時間励磁する（Ｓ１３−１６）。これにより、第２保留部２１４の最下位の１００円コインが金庫に導かれる。続いてソレノイドＳＣ６を励磁する（Ｓ１３−１７）。これにより、第１保留部２１３に保留されている１００円コインが第２保留部２１４に導かれ、第２保留部２１４に２枚の１００円コインがあらたに保留された状態となる。続いてソレノイドＳＣ７を所定時間励磁して新たに第２保留部２１４の最下位となった保留コインを金庫に導く（Ｓ１３−１８）。続いてソレノイドＳＣ６を所定時間励磁して、第３保留部２１５に保留されている１００円コインを第２保留部２１４に導く（Ｓ１３−１９）。その後、ソレノイドＳＣ７を２回に亘って励磁することにより、第２保留部２１４のコインを金庫へと導く（Ｓ１３−２０、Ｓ１３−２１）。
【００５３】
前記ステップＳ１３−１０で第２の１００円コインチューブＣＴ１００−２が未だ満杯となっていないときは、ソレノイドＳＣ８，ＳＣ９を励磁して第２の１００円コインチューブＣＴ１００−２側を開放し（Ｓ１３−２２）、ソレノイドＳＣ７を所定時間励磁する（Ｓ１３−２３）。これにより、第２保留部２１４の最下位の１００円コインが第２のコインチューブＣＴ１００−２に収納される。続いてソレノイドＳＣ６を励磁する（Ｓ１３−２４）。これにより、第１保留部２１３に保留されている１００円コインが第２保留部２１４に導かれ、第２保留部２１４にあらたに２枚の１００円コインが保留された状態となる。その後、再度ソレノイドＳＣ７を所定時間励磁して新たに第２保留部２１４の最下位となった保留コインを第２のコインチューブＣＴ１００−２に収納する（Ｓ１３−２５）。しかる後、ソレノイドＳＣ６を所定時間励磁して、第３保留部２１５に保留されている１００円コインを第２保留部２１４に導く（Ｓ１３−２６）。その後、ソレノイドＳＣ７を２回に亘って励磁することにより、第２保留部２１４のコインを第２のコインチューブＣＴ１００−２へと導く（Ｓ１３−２７、Ｓ１３−２８）。
【００５４】
本実施形態によれば、第１保留部２１３及び第２保留部２１４、第３保留部２１５により投入された１００円コインが保留され、返却指令があったときは、この投入コインを返却口に戻すことができるため、１００円偽造・変造コインによる犯罪両替行為を防止できる。
【００５５】
また、第４振り分け部２０４とフロントカバー２１５ｂとで１００円コインを挟持ことでコインを一時保留するように第３保留部２１５を構成しているので、新たな機構を追加することなく従来の振り分け機構を利用することができるので大幅な設計変更を行う必要がない。また、一時保留枚数を増やすことで、従来では１００円コインで商品を購入できなかったケース（具体的には１００円コインを４枚投入する必要があるケース）でも商品購入が可能になるので、ユーザーにとっても有益なコイン処理装置を提供することができる。
【００５６】
以上本発明の一実施の形態について詳述したが、コイン処理装置を自動販売機に付設した例について説明したが、他の機器に付設する場合や、リーダライタ単体の場合であっても本発明を適用できる。さらに、上記実施の形態では、１００円コインなどの金銭を例にして説明したが、例えばＩＣコインなどのトークンを使用する場合においても本発明を適用できる。
【図面の簡単な説明】
【００５７】
【図１】コイン処理装置のコイン識別部及びコイン振り分け部を示す内部構造図
【図２】コイン処理装置のコイン振り分け部及びコイン収納部の構造を示す斜視図
【図３】コイン返却指令時における第２保留部の動作を示す断面図
【図４】第２チューブ収納時における第２保留部の動作を示す断面図
【図５】金庫収納時における第２保留部の動作を示す断面図
【図６】コイン保留時の第３保留部の動作を示す内部構造図
【図７】コイン保留時の第３保留部の動作を示す断面図
【図８】コイン処理装置の駆動制御回路を示すブロック図
【図９】１００円コイン処理制御を示すフローチャート
【図１０】４枚コイン処理モードを示すフローチャート
【符号の説明】
【００５８】
１０…コイン識別部、２０…コイン振り分け部、３０…コイン収納部、２１３…第１保留部、２１４…第２保留部、２１５…第３保留部、ＳＣ１〜ＳＣ９…ソレノイド、ＣＴ１００−１…第１の１００円コインチューブ、ＣＴ１００−２…第２の１００円コインチューブ
【図１】
0005430303.tif 000002
【図２】
0005430303.tif 000003
【図３】
0005430303.tif 000004
【図４】
0005430303.tif 000005
【図５】
0005430303.tif 000006
【図６】
0005430303.tif 000007
【図７】
0005430303.tif 000008
【図８】
0005430303.tif 000009
【図９】
0005430303.tif 000010
【図１０】
0005430303.tif 000011